(57)【要約】【課題】  トイレ室内の空間中に含まれる臭いや菌、特に便器やトイレ室の室内壁面に付着した臭いや菌を効果的に除去できるのは勿論のこと、加えて静電霧化装置によりトイレ室内の臭いを効率良く除去できる。【解決手段】  電圧印加部により印加電極１０と対向電極９間に高電圧を印加することで静電霧化がなされる静電霧化装置６を具備する。便座３周辺の人の有無を検知する人体検知手段を設ける。人体検知手段により便座３周辺に人が居ることを検知した際に、静電霧化装置６をＯＦＦからＯＮ又は弱運転から強運転に切り替え、人体検知手段により便座３周辺に人が居ないことを検知した際に、静電霧化装置６をＯＮからＯＦＦ又は強運転から弱運転に切り換える制御部２１を設ける。【選択図】      図１
2005336844.tif 000002
【特許請求の範囲】
【請求項１】
水溜め部と、水溜め部から水を搬送する多孔質部材によって形成された搬送部と、該搬送部の搬送方向の端部に対向する対向電極と、水溜め部から搬送部の搬送方向の端に至る経路中の水に電圧を印加する印加電極と、を備えて、電圧印加部により前記印加電極と対向電極間に高電圧を印加することで静電霧化がなされる静電霧化装置を具備し、便座周辺の人の有無を検知する人体検知手段を設け、該人体検知手段により便座周辺に人が居ることを検知した際に、静電霧化装置をＯＦＦからＯＮ又は弱運転から強運転に切り替え、人体検知手段により便座周辺に人が居ないことを検知した際に、静電霧化装置をＯＮからＯＦＦ又は強運転から弱運転に切り換える制御部を設けてなることを特徴とする静電霧化装置付き温水洗浄便座。
【請求項２】
水溜め部と、水溜め部から水を搬送する多孔質部材によって形成された搬送部と、該搬送部の搬送方向の端部に対向する対向電極と、水溜め部から搬送部の搬送方向の端に至る経路中の水に電圧を印加する印加電極と、を備えて、電圧印加部により前記印加電極と対向電極間に高電圧を印加することで静電霧化がなされる静電霧化装置を具備し、便座に人が着座したか否かを検知する着座検知手段を設け、該着座検知手段により便座に人が着座したことを検知した際に、静電霧化装置をＯＦＦからＯＮ又は弱運転から強運転に切り換え、着座検知手段により便座に人が着座していないことを検知した際に、静電霧化装置をＯＮからＯＦＦ又は強運転から弱運転に切り換える制御部を設けてなることを特徴とする静電霧化装置付き温水洗浄便座。
【請求項３】
水溜め部と、水溜め部から水を搬送する多孔質部材によって形成された搬送部と、該搬送部の搬送方向の端部に対向する対向電極と、水溜め部から搬送部の搬送方向の端に至る経路中の水に電圧を印加する印加電極と、を備えて、電圧印加部により前記印加電極と対向電極間に高電圧を印加することで静電霧化がなされる静電霧化装置を具備し、トイレ室内の照明がＯＮになった際に、静電霧化装置をＯＦＦからＯＮ又は弱運転から強運転に切り換え、トイレ内の照明がＯＦＦになった際に、静電霧化装置をＯＮからＯＦＦ又は強運転から弱運転に切り換える制御部を設けてなることを特徴とする静電霧化装置付き温水洗浄便座。
【請求項４】
水溜め部と、水溜め部から水を搬送する多孔質部材によって形成された搬送部と、該搬送部の搬送方向の端部に対向する対向電極と、水溜め部から搬送部の搬送方向の端に至る経路中の水に電圧を印加する印加電極と、を備えて、電圧印加部により前記印加電極と対向電極間に高電圧を印加することで静電霧化がなされる静電霧化装置を具備し、便蓋又は便座の開閉を検知する開閉検知手段を設け、便蓋が開又は便座が閉になったことを検知した際に、静電霧化装置をＯＦＦからＯＮ又は弱運転から強運転に切り換え、便蓋が閉又は便座が開になったことを検知した際に、静電霧化装置をＯＮからＯＦＦ又は強運転から弱運転又は強運転からＯＦＦに切り換える制御部を設けてなることを特徴とする静電霧化装置付き温水洗浄便座。
【請求項５】
水溜め部と、水溜め部から水を搬送する多孔質部材によって形成された搬送部と、該搬送部の搬送方向の端部に対向する対向電極と、水溜め部から搬送部の搬送方向の端に至る経路中の水に電圧を印加する印加電極と、を備えて、電圧印加部により前記印加電極と対向電極間に高電圧を印加することで静電霧化がなされる静電霧化装置を具備し、便座に着座した人の肛門を洗浄する肛門洗浄モードを有し、肛門洗浄モードを開始した際に、静電霧化装置をＯＦＦからＯＮ又は弱運転から強運転に切り換え、肛門洗浄モードを停止した際に、静電霧化装置をＯＮからＯＦＦ又は強運転から弱運転又は強運転からＯＦＦに切り換える制御部を設けてなることを特徴とする静電霧化装置付き温水洗浄便座。
【請求項６】
水溜め部と、水溜め部から水を搬送する多孔質部材によって形成された搬送部と、該搬送部の搬送方向の端部に対向する対向電極と、水溜め部から搬送部の搬送方向の端に至る経路中の水に電圧を印加する印加電極と、を備えて、電圧印加部により前記印加電極と対向電極間に高電圧を印加することで静電霧化がなされる静電霧化装置を具備し、便座に着座した人の局部を乾燥する乾燥モードを有し、乾燥モードを開始した際に、静電霧化装置をＯＦＦからＯＮ又は弱運転から強運転に切り換え、乾燥モードを停止した際に、静電霧化装置をＯＮからＯＦＦ又は強運転から弱運転又は強運転からＯＦＦに切り換える制御部を設けてなることを特徴とする静電霧化装置付き温水洗浄便座。
【請求項７】
水溜め部と、水溜め部から水を搬送する多孔質部材によって形成された搬送部と、該搬送部の搬送方向の端部に対向する対向電極と、水溜め部から搬送部の搬送方向の端に至る経路中の水に電圧を印加する印加電極と、を備えて、電圧印加部により前記印加電極と対向電極間に高電圧を印加することで静電霧化がなされる静電霧化装置を具備し、便器水洗を開始した際に、静電霧化装置をＯＦＦからＯＮ又は弱運転から強運転に切り換え、便器水洗が停止した際に、静電霧化装置をＯＮからＯＦＦ又は強運転から弱運転又は強運転からＯＦＦに切り換える制御部を設けてなることを特徴とする静電霧化装置付き温水洗浄便座。
【請求項８】
水溜め部と、水溜め部から水を搬送する多孔質部材によって形成された搬送部と、該搬送部の搬送方向の端部に対向する対向電極と、水溜め部から搬送部の搬送方向の端に至る経路中の水に電圧を印加する印加電極と、を備えて、電圧印加部により前記印加電極と対向電極間に高電圧を印加することで静電霧化がなされる静電霧化装置を具備し、便座周辺の臭いを検知する臭い検知センサを設け、該臭い検知センサの出力結果に基づいて静電霧化装置のＯＮ／ＯＦＦ又は運転の強弱を切り替える制御部を設けてなることを特徴とする静電霧化装置付き温水洗浄便座。
【発明の詳細な説明】
【技術分野】
【０００１】
本発明は、静電霧化装置付き温水洗浄便座に関するものである。
【背景技術】
【０００２】
従来から知られている温水洗浄便座にはトイレ空間や便器内の臭気成分を除去する目的で、吸着材やハニカム触媒等を用いた脱臭装置を具備するものがあるが、このものは脱臭装置による脱臭効果及び除菌効果が小さいといった問題がある。
【０００３】
また従来の温水洗浄便座にはミストを噴霧する超音波霧化装置を具備するものもあるが、このものもミストの粒子径がマイクロメータサイズであるためミストの拡散性が乏しく、超音波霧化装置による脱臭効果及び除菌効果が小さいといった問題がある（例えば特許文献１）。
【０００４】
また従来には温水洗浄便座ではないがナノメータサイズのミストを噴霧する静電霧化装置を具備する空気清浄機が利用されている（例えば特許文献２）。この空気清浄機の静電霧化装置は、水溜め部と、水溜め部から水を搬送する多孔質部材によって形成された搬送部と、該搬送部の搬送方向の端部に対向する対向電極と、水溜め部から搬送部の搬送方向の端に至る経路中の水に電圧を印加する印加電極と、を備え、電圧印加部により前記印加電極と対向電極間に高電圧を印加することで静電霧化を行い、これによりナノメータサイズのミストを生成するもので、この空気清浄機にあっては静電霧化装置によって生成される拡散性の優れたナノメータサイズのミストを部屋の室内に噴霧することで、ナノメータサイズのミストが有している活性種により室内空気中の臭気成分や室内壁面への付着物を有効に脱臭・除菌できるものである。しかし従来にはこのような静電霧化装置を備えた温水洗浄便座は存在しなかった。
【０００５】
そこで本発明者は発明に至る過程において、温水洗浄便座に上記静電霧化装置を設け、この静電霧化装置によって生成されるナノメータサイズのミストによって、トイレ室内の空間や、便器、トイレ室の室内壁面の脱臭・除菌を有効に除去できる静電霧化装置付き温水洗浄便座を想起した。
【０００６】
しかしこの静電霧化装置付き温水洗浄便座にあっては、臭いや雑菌の発生環境が変化する狭いトイレ室内の臭いの量に応じて静電霧化装置の運転を制御することができないため、静電霧化装置によって生成されるナノメータサイズのミストの噴霧量を多くした場合には、静電霧化装置の運転により電力が無駄に消費されたり、またナノメータサイズのミストを生成するために用いられる水が無駄に消費されたり、また静電霧化装置を運転した際には副産物としてのオゾンが大量に生成されて狭いトイレ室内に充満したり、また静電霧化装置の使用頻度が多いため、静電霧化装置が故障しやすいといった問題が生じ、また静電霧化装置によって生成されるミストの噴霧量を少なくした場合には、臭いが除去されずにトイレを使用する使用者を不快に感じさせてしまう。
【特許文献１】特開２００３−７９７１４号公報
【特許文献２】特開２００１−２２７０２６号公報
【発明の開示】
【発明が解決しようとする課題】
【０００７】
本発明は上記従来の問題点に鑑みて発明したものであって、トイレ室内の空間中に含まれる臭いや菌、特に便器やトイレ室の室内壁面に付着した臭いや菌を効果的に除去できるのは勿論のこと、加えて電力や水を無駄に消費することがなく、またオゾンが大量に生成されることがなく、また静電霧化装置の長寿命化を実現でき、またトイレを使用する使用者を不快に感じさせることのない静電霧化装置付き温水洗浄便座を提供することを課題とする。
【課題を解決するための手段】
【０００８】
上記課題を解決するために本発明の請求項１に係る静電霧化装置付き温水洗浄便座１は、水溜め部と、水溜め部から水を搬送する多孔質部材によって形成された搬送部と、該搬送部の搬送方向の端部に対向する対向電極９と、水溜め部から搬送部の搬送方向の端に至る経路中の水に電圧を印加する印加電極１０と、を備えて、電圧印加部により前記印加電極１０と対向電極９間に高電圧を印加することで静電霧化がなされる静電霧化装置６を具備し、便座３周辺の人の有無を検知する人体検知手段を設け、該人体検知手段により便座３周辺に人が居ることを検知した際に、静電霧化装置６をＯＦＦからＯＮ又は弱運転から強運転に切り替え、人体検知手段により便座３周辺に人が居ないことを検知した際に、静電霧化装置６をＯＮからＯＦＦ又は強運転から弱運転に切り換える制御部２１を設けてなることを特徴とする。
【０００９】
静電霧化装置６により、トイレ室内の空間中に含まれる臭いや菌、特に便器やトイレ室の室内壁面に付着した臭いや菌を効果的に除去できるのは勿論のこと、加えて人体検知手段により便座３周辺に人が居ることを検知した際に、静電霧化装置６をＯＦＦからＯＮ又は弱運転から強運転に切り替え、人体検知手段により便座３周辺に人が居ないことを検知した際に、静電霧化装置６をＯＮからＯＦＦ又は強運転から弱運転に切り換えるといった制御を行うことで、使用者がトイレを使用する時に静電霧化装置６を運転するか又は強運転にし、使用者がトイレを使用しない時には静電霧化装置６を停止するか又は弱運転にすることができ、これによりトイレ室内の匂いを静電霧化装置６により効率良く除去でき、この結果、電力や水を無駄に消費することなく、且つオゾンが大量に生成されることなく、且つ静電霧化装置６の長寿命化も実現でき、且つトイレを使用する使用者を不快に感じさせることがない。
【００１０】
また本発明の請求項２に係る静電霧化装置付き温水洗浄便座１は、水溜め部と、水溜め部から水を搬送する多孔質部材によって形成された搬送部と、該搬送部の搬送方向の端部に対向する対向電極９と、水溜め部から搬送部の搬送方向の端に至る経路中の水に電圧を印加する印加電極１０と、を備えて、電圧印加部により前記印加電極１０と対向電極９間に高電圧を印加することで静電霧化がなされる静電霧化装置６を具備し、便座３に人が着座したか否かを検知する着座検知手段を設け、該着座検知手段により便座３に人が着座したことを検知した際に、静電霧化装置６をＯＦＦからＯＮ又は弱運転から強運転に切り換え、着座検知手段により便座３に人が着座していないことを検知した際に、静電霧化装置６をＯＮからＯＦＦ又は強運転から弱運転に切り換える制御部２１を設けてなることを特徴とする。
【００１１】
静電霧化装置６により、トイレ室内の空間中に含まれる臭いや菌、特に便器やトイレ室の室内壁面に付着した臭いや菌を効果的に除去できるのは勿論のこと、加えて着座検知手段により便座３に人が着座したことを検知した際に、静電霧化装置６をＯＦＦからＯＮ又は弱運転から強運転に切り換え、着座検知手段により便座３に人が着座していないことを検知した際に、静電霧化装置６をＯＮからＯＦＦ又は強運転から弱運転に切り換えるといった制御を行うことで、使用者がトイレを使用する時に静電霧化装置６を運転するか又は強運転にし、使用者がトイレを使用しない時には静電霧化装置６を停止するか又は弱運転にすることができ、これによりトイレ室内の匂いを静電霧化装置６により効率良く除去でき、この結果、電力や水を無駄に消費することなく、且つオゾンが大量に生成されることなく、且つ静電霧化装置６の長寿命化も実現でき、且つトイレを使用する使用者を不快に感じさせることがない。
【００１２】
また本発明の請求項３に係る静電霧化装置付き温水洗浄便座１は、水溜め部と、水溜め部から水を搬送する多孔質部材によって形成された搬送部と、該搬送部の搬送方向の端部に対向する対向電極９と、水溜め部から搬送部の搬送方向の端に至る経路中の水に電圧を印加する印加電極１０と、を備えて、電圧印加部により前記印加電極１０と対向電極９間に高電圧を印加することで静電霧化がなされる静電霧化装置６を具備し、トイレ室内の照明がＯＮになった際に、静電霧化装置６をＯＦＦからＯＮ又は弱運転から強運転に切り換え、トイレ内の照明がＯＦＦになった際に、静電霧化装置６をＯＮからＯＦＦ又は強運転から弱運転に切り換える制御部２１を設けてなることを特徴とする。
【００１３】
静電霧化装置６により、トイレ室内の空間中に含まれる臭いや菌、特に便器やトイレ室の室内壁面に付着した臭いや菌を効果的に除去できるのは勿論のこと、加えてトイレ室内の照明がＯＮになった際に、静電霧化装置６をＯＦＦからＯＮ又は弱運転から強運転に切り換え、トイレ内の照明がＯＦＦになった際に、静電霧化装置６をＯＮからＯＦＦ又は強運転から弱運転に切り換えるといった制御を行うことで、使用者がトイレ室内に居る時以外には静電霧化装置６を停止するか又は弱運転にし、使用者がトイレ室内に居る時には静電霧化装置６を運転するか又は強運転にすることができ、これによりトイレ室内の匂いを静電霧化装置６により効率良く除去でき、この結果、電力や水を無駄に消費することなく、且つオゾンが大量に生成されることなく、且つ静電霧化装置６の長寿命化も実現でき、且つトイレを使用する使用者を不快に感じさせることがない。
【００１４】
また本発明の請求項４に係る静電霧化装置付き温水洗浄便座１は、水溜め部と、水溜め部から水を搬送する多孔質部材によって形成された搬送部と、該搬送部の搬送方向の端部に対向する対向電極９と、水溜め部から搬送部の搬送方向の端に至る経路中の水に電圧を印加する印加電極１０と、を備えて、電圧印加部により前記印加電極１０と対向電極９間に高電圧を印加することで静電霧化がなされる静電霧化装置６を具備し、便蓋４又は便座３の開閉状態を検知する開閉検知手段を設け、便蓋４が開又は便座３が閉になったことを検知した際に、静電霧化装置６をＯＦＦからＯＮ又は弱運転から強運転に切り換え、便蓋４が閉又は便座３が開になったことを検知した際に、静電霧化装置６をＯＮからＯＦＦ又は強運転から弱運転又は強運転からＯＦＦに切り換える制御部２１を設けてなることを特徴とする。
【００１５】
静電霧化装置６により、トイレ室内の空間中に含まれる臭いや菌、特に便器やトイレ室の室内壁面に付着した臭いや菌を効果的に除去できるのは勿論のこと、加えて便蓋４が開又は便座３が閉になったことを検知した際に、静電霧化装置６をＯＦＦからＯＮ又は弱運転から強運転に切り換え、便蓋４が閉又は便座３が開になったことを検知した際に、静電霧化装置６をＯＮからＯＦＦ又は強運転から弱運転又は強運転からＯＦＦに切り換えるといった制御を行うことで、使用者がトイレを使用している時には静電霧化装置６を運転するか又は強運転にし、使用者がトイレを使用している時以外には静電霧化装置６を停止するか又は弱運転にすることができ、これによりトイレ室内の匂いを静電霧化装置６により効率良く除去でき、この結果、電力や水を無駄に消費することなく、且つオゾンが大量に生成されることなく、且つ静電霧化装置６の長寿命化も実現でき、且つトイレを使用する使用者を不快に感じさせることがない。
【００１６】
また本発明の請求項５に係る静電霧化装置付き温水洗浄便座１は、水溜め部と、水溜め部から水を搬送する多孔質部材によって形成された搬送部と、該搬送部の搬送方向の端部に対向する対向電極９と、水溜め部から搬送部の搬送方向の端に至る経路中の水に電圧を印加する印加電極１０と、を備えて、電圧印加部により前記印加電極１０と対向電極９間に高電圧を印加することで静電霧化がなされる静電霧化装置６を具備し、便座３に着座した人の肛門を洗浄する肛門洗浄モードを有し、肛門洗浄モードを開始した際に、静電霧化装置６をＯＦＦからＯＮ又は弱運転から強運転に切り換え、肛門洗浄モードを停止した際に、静電霧化装置６をＯＮからＯＦＦ又は強運転から弱運転又は強運転からＯＦＦに切り換える制御部２１を設けてなることを特徴とする。
【００１７】
静電霧化装置６により、トイレ室内の空間中に含まれる臭いや菌、特に便器やトイレ室の室内壁面に付着した臭いや菌を効果的に除去できるのは勿論のこと、加えて肛門洗浄モードを開始した際に、静電霧化装置６をＯＦＦからＯＮ又は弱運転から強運転に切り換え、肛門洗浄モードを停止した際に、静電霧化装置６をＯＮからＯＦＦ又は強運転から弱運転又は強運転からＯＦＦに切り換えるといった制御を行うことで、使用者が大便をした時には静電霧化装置６を運転するか又は強運転にし、使用者が大便をした時以外には静電霧化装置６を停止するか又は弱運転にすることができ、これによりトイレ室内の匂いを静電霧化装置６により効率良く除去でき、この結果、電力や水を無駄に消費することなく、且つオゾンが大量に生成されることなく、且つ静電霧化装置６の長寿命化も実現でき、且つトイレを使用する使用者を不快に感じさせることがない。
【００１８】
また本発明の請求項６に係る静電霧化装置付き温水洗浄便座１は、水溜め部と、水溜め部から水を搬送する多孔質部材によって形成された搬送部と、該搬送部の搬送方向の端部に対向する対向電極９と、水溜め部から搬送部の搬送方向の端に至る経路中の水に電圧を印加する印加電極１０と、を備えて、電圧印加部により前記印加電極１０と対向電極９間に高電圧を印加することで静電霧化がなされる静電霧化装置６を具備し、便座３に着座した人の局部を乾燥する乾燥モードを有し、乾燥モードを開始した際に、静電霧化装置６をＯＦＦからＯＮ又は弱運転から強運転に切り換え、乾燥モードを停止した際に、静電霧化装置６をＯＮからＯＦＦ又は強運転から弱運転又は強運転からＯＦＦに切り換える制御部２１を設けてなることを特徴とする。
【００１９】
静電霧化装置６により、トイレ室内の空間中に含まれる臭いや菌、特に便器やトイレ室の室内壁面に付着した臭いや菌を効果的に除去できるのは勿論のこと、加えて乾燥モードを開始した際に、静電霧化装置６をＯＦＦからＯＮ又は弱運転から強運転に切り換え、乾燥モードを停止した際に、静電霧化装置６をＯＮからＯＦＦ又は強運転から弱運転又は強運転からＯＦＦに切り換えるといった制御を行うことで、乾燥モードを運転した時、つまり便器内からトイレ室の室内空間に匂いを含んだ空気が出る時に静電霧化装置６を運転するか又は強運転にし、これ以外の時には静電霧化装置６を停止するか又は弱運転にすることができ、これによりトイレ室内の匂いを静電霧化装置６により効率良く除去でき、この結果、電力や水を無駄に消費することなく、且つオゾンが大量に生成されることなく、且つ静電霧化装置６の長寿命化も実現でき、且つトイレを使用する使用者を不快に感じさせることがない。
【００２０】
また本発明の請求項７に係る静電霧化装置付き温水洗浄便座１は、水溜め部と、水溜め部から水を搬送する多孔質部材によって形成された搬送部と、該搬送部の搬送方向の端部に対向する対向電極９と、水溜め部から搬送部の搬送方向の端に至る経路中の水に電圧を印加する印加電極１０と、を備えて、電圧印加部により前記印加電極１０と対向電極９間に高電圧を印加することで静電霧化がなされる静電霧化装置６を具備し、便器水洗を開始した際に、静電霧化装置６をＯＦＦからＯＮ又は弱運転から強運転に切り換え、便器水洗が停止した際に、静電霧化装置６をＯＮからＯＦＦ又は強運転から弱運転又は強運転からＯＦＦに切り換える制御部２１を設けてなることを特徴とする。
【００２１】
静電霧化装置６により、トイレ室内の空間中に含まれる臭いや菌、特に便器やトイレ室の室内壁面に付着した臭いや菌を効果的に除去できるのは勿論のこと、加えて便器水洗を開始した際に、静電霧化装置６をＯＦＦからＯＮ又は弱運転から強運転に切り換え、便器水洗が停止した際に、静電霧化装置６をＯＮからＯＦＦ又は強運転から弱運転又は強運転からＯＦＦに切り換えるといった制御を行うことで、匂いの発生源となる便器内の汚物が流された時に静電霧化装置６を運転するか又は強運転にし、これ以外の時には静電霧化装置６を停止するか又は弱運転にすることができ、これによりトイレ室内の匂いを静電霧化装置６により効率良く除去でき、この結果、電力や水を無駄に消費することなく、且つオゾンが大量に生成されることなく、且つ静電霧化装置６の長寿命化も実現でき、且つトイレを使用する使用者を不快に感じさせることがない。
【００２２】
また本発明の請求項８に係る静電霧化装置付き温水洗浄便座１は、水溜め部と、水溜め部から水を搬送する多孔質部材によって形成された搬送部と、該搬送部の搬送方向の端部に対向する対向電極９と、水溜め部から搬送部の搬送方向の端に至る経路中の水に電圧を印加する印加電極１０と、を備えて、電圧印加部により前記印加電極１０と対向電極９間に高電圧を印加することで静電霧化がなされる静電霧化装置６を具備し、便座３周辺の臭いを検知する臭い検知センサを設け、該臭い検知センサの出力結果に基づいて静電霧化装置６のＯＮ／ＯＦＦ又は運転の強弱を切り替える制御部２１を設けてなることを特徴とする。
【００２３】
静電霧化装置６により、トイレ室内の空間中に含まれる臭いや菌、特に便器やトイレ室の室内壁面に付着した臭いや菌を効果的に除去できるのは勿論のこと、加えて臭い検知センサの出力結果に基づいて静電霧化装置６のＯＮ／ＯＦＦ又は運転の強弱を切り替えるといった制御を行うことで、トイレ室内の匂いの量に応じて静電霧化装置の運転を制御でき、これによりトイレ室内の匂いを静電霧化装置により効率良く除去でき、この結果、電力や水を無駄に消費することなく、且つオゾンが大量に生成されることなく、且つ静電霧化装置の長寿命化も実現でき、且つトイレを使用する使用者を不快に感じさせることがない。
【発明の効果】
【００２４】
本発明では、トイレ室内の空間中に含まれる臭いや菌、特に便器やトイレ室の室内壁面に付着した臭いや菌を効果的に除去できるのは勿論のこと、加えてトイレ室内の匂いを静電霧化装置により効率良く除去でき、この結果、電力や水を無駄に消費することがなく、またオゾンが大量に生成されることがなく、またトイレを使用する使用者を不快に感じさせることがなく、また静電霧化装置の長寿命化を実現できる。
【発明を実施するための最良の形態】
【００２５】
本実施形態の静電霧化装置付き温水洗浄便座１は図２に示すように便器の後部の上面に設置される装置本体２にて主体が構成されている。装置本体２には図示しないヒンジ部を介して回動自在に設けた便座３及び便蓋４を設けている。また装置本体２の側部の上面には後述する各種機能を操作するための操作部５を設けている。なお便蓋４及び便座３は電動により開閉されるものであっても良いし、手動により開閉されるものであっても良いものとする。
【００２６】
装置本体２にはナノメータサイズの粒子径のミストであるナノサイズミストを噴霧する静電霧化装置６を設けている。図３に示すように静電霧化装置６は霧化させることになる水を収容する水溜め部として水タンク７を下部に備えたもので、円筒状のホルダー８と、該ホルダー８の上部に被せられて配された対向電極９と、ホルダー８の下部に嵌め込まれて水に対する電圧印加を担う印加電極１０と、この印加電極１０によって保持されている複数本の棒状吸水体１１（搬送部）とで構成されており、カップ状に形成されている水タンク７はホルダー８の下部に装着されている印加電極１０に取り付けられている。
【００２７】
対向電極９と印加電極１０は共にカーボンのような導電材を混入した合成樹脂やＳＵＳのような金属で形成されることで導電性を有しているもので、対向電極９は接地されており、印加電極１０は電圧印加部となる高電圧発生源に接続されている。
【００２８】
棒状吸水体１１は、多孔質セラミックで形成されてその上端が針状に尖ったもので、複数本、図示例では６本の吸水体１１が印加電極１０に取り付けられている。これら吸水体１１は同一円上に位置するように配されており、各吸水体１１は上部が印加電極１０よりも上方に突出し、下部は下方に突出して上記水タンク７内に入れられた水と接触している。
【００２９】
対向電極９は、図３に示すように中央に開口部１２を有するとともに、この開口部１２の縁は上方から見た時、前記複数本の吸水体１１の上端の針状部１１ａを中心とする複数の同一径の円弧Ｒをつないだものとなっている。対向電極９を接地し、印加電極１０に高電圧発生源を接続するとともに、吸水体１１が毛細管現象で水を吸い上げている時、吸水体１１の上端の針状部が印加電極１０側の実質的な電極として機能すると同時に、対向電極９の上記円弧Ｒが実質的な電極として機能するものである。
【００３０】
今、吸水体１１に毛細管現象で水を吸い上げさせ、さらに対向電極９を接地するとともに印加電極１０に高電圧発生源を接続して、印加電極１０にマイナスの電圧を印加した時、この電圧が水にレイリー分裂を起こさせることができる高電圧（好ましくは５００Ｖ／ｍｍの電解強度を与えることができる電圧）であれば、吸水体１１の上端の針状部１１ａに達した水はここでレイリー分裂を起こしてナノメータサイズの粒子径の霧化を生じさせる静電霧化がなされる。
【００３１】
そして上記静電霧化装置６は便器内又は便器外のトイレ室内の空間に向けてナノサイズミストを噴霧するように装置本体２に設けられており、印加電極１０・対向電極９間に上記高電圧を印加して静電霧化装置６をＯＮにすることで、静電霧化で生じたナノサイズミストを便器内又は便器外のトイレ室内の空間に向けて噴霧できるようになっている。この静電霧化によって生じたナノサイズミストは拡散性が高く、またナノサイズミストは活性種を有しているため、トイレ室内の空気中に含まれる臭いや菌、特に便器、トイレ室の室内壁面に付着した臭いや菌を効果的に除去できる。また印加電極１０・対向電極９間への電圧の印加を停止して静電霧化装置６をＯＦＦにすることで、ナノサイズミストの噴霧を停止できるようになっている。なお装置本体２には上記静電霧化装置６によって発生したナノサイズミストを乗せて便器内や便器外のトイレ室内の空間に送る送風手段を設けてあっても良いものとする。
【００３２】
また本実施形態の静電霧化装置付き温水洗浄便座１は、肛門洗浄用ノズル１３から温水を噴出する肛門洗浄モードと、ビデ洗浄用ノズル１４から温水を噴出するビデ洗浄モードと、プレ洗浄用ノズル１５から水を噴出して用を足す前の便器の内面を洗浄するプレ洗浄モードと、ノズル洗浄用ノズル１６から水を噴出して、肛門洗浄用ノズル１３、ビデ洗浄用ノズル１４、プレ洗浄用ノズル１５を洗浄するノズル洗浄モードと、図示しない乾燥装置から便器内から便座３に着座した人の局部に風を送り乾燥する乾燥モードとを備えている。
【００３３】
具体的に説明すると、図４に示すように装置本体２には、肛門洗浄用ノズル１３と、ビデ洗浄用ノズル１４と、プレ洗浄用ノズル１５と、ノズル洗浄用ノズル１６とを設けている。各ノズルは装置本体２に設けた水流路１７を介して水源１８に連通接続してあり、該水流路１７には水源１８から水を各ノズル１３、１４、１５、１６に送る水ポンプ１９を設けている。水流路１７は上流端を水源１８に連通接続した主水路１７ａと、主水路１７ａの下流端から、肛門洗浄用ノズル１３側、ビデ洗浄用ノズル１４側、プレ洗浄用ノズル１５側、ノズル洗浄用ノズル１６側の夫々に分岐した、肛門洗浄用流路１７ｂ、ビデ洗浄用流路１７ｃ、プレ洗浄用流路１７ｄ、ノズル洗浄用流路１７ｅ、とで構成されている。前記水ポンプ１９は主水路１７ａの途中に設けられており、該水ポンプ１９は装置本体２に設けた制御回路からなる制御部２１に電気的に接続されている。主水路１７ａの水ポンプ１９よりも上流側には、上流側から順に、制御部２１に電気的に接続された開閉自在な給水弁２０と、水源１８から水ポンプ１９により送られてきた水を貯水してこの水を設定温度にまで加熱する制御部２１に電気的に接続された温水タンク２２と、を設けている。主水路１７ａの下流端である分岐点２３には上流側から流れてきた水の供給先を、肛門洗浄用ノズル１３側（肛門洗浄用流路１７ｂ側）、ビデ洗浄用ノズル１４側（ビデ洗浄用流路１７ｃ側）、プレ洗浄用ノズル１５側（プレ洗浄用流路１７ｄ側）、ノズル洗浄用ノズル１６側（ノズル洗浄用流路１７ｅ側）のいずれかに切り換える制御部２１に電気的に接続されたロータリー切り換え弁２４を設けている。なお水流路１７には空気や水、薬剤、芳香剤その他の混合機構を設けてあっても良いものとする。
【００３４】
また装置本体２には、水流路１７の主水路１７ａにおける水ポンプ１９よりも下流側で且つロータリー切り換え弁２４よりも上流側に位置する分岐点２４と、上記静電霧化装置６と、を連通接続する分岐流路２５を設けてあり、分岐点２４には主水路１７ａの上流から流れてきた水の供給先を主水路１７ａ側と静電霧化装置６側（分岐流路２５側）とに切り換える制御部２１に電気的に接続された切換弁２６を設けている。
【００３５】
今、上記給水弁２０を開にすると共に水ポンプ１９を運転し、同時に切換弁２６により水の供給先を主水路１７ａ側にし、同時にロータリー切り換え弁２４により水の供給先を肛門洗浄用ノズル１３側、ビデ洗浄用ノズル１４側、プレ洗浄用ノズル１５側、ノズル洗浄用ノズル１６側のいずれかに切り換えることで、水源１８から水流路１７の主流路に水を供給して該水を温水タンク２２内に供給すると共に、温水タンク２２内の水を、主水路１７ａを通して肛門洗浄用流路１７ｂ、ビデ洗浄用流路１７ｃ、プレ洗浄用流路１７ｄ、ノズル洗浄用流路１７ｅのいずれかを通して、肛門洗浄用ノズル１３、ビデ洗浄用ノズル１４、プレ洗浄用ノズル１５、ノズル洗浄用ノズル１６のいずれかから水を噴出できるようになっており、また上記給水弁２０を閉にすると共に水ポンプ１９の運転を停止することで、上記各ノズル１３、１４、１５、１６からの水の噴出を停止できるようなっている。
【００３６】
そして上記肛門洗浄用ノズル１３、ビデ洗浄用ノズル１４、プレ洗浄用ノズル１５、ノズル洗浄用ノズル１６からの水の噴出は制御部２１からの指令に基づいて行われるようになっており、肛門洗浄用ノズル１３から水を噴出する肛門洗浄モード及びビデ洗浄用ノズル１４から水を噴出するビデ洗浄モードにあっては、操作部５に設けた図示しない肛門洗浄スイッチ、ビデ洗浄スイッチを操作することで、肛門洗浄モードの開始及び停止、ビデ洗浄モードの開始及び停止を切り換えられるようになっている。なお上記ノズル洗浄用ノズル１６から水を噴出するノズル洗浄モードの開始及び停止の制御としては、例えば制御部２１により各ノズル１３、１４、１５の使用後に洗浄できるように制御する等が挙げられるが、これに限定されるものではない。またプレ洗浄用ノズル１５から水を噴出するプレ洗浄用モードの開始及び停止の制御としては、例えば制御部２１により後述する着座センサや人感センサ２７等の検知結果に基づいて行う等が挙げられるが、これに限定されるものではない。
【００３７】
また上記給水弁２０を開にすると共に水ポンプ１９を運転し、同時に切換弁２６により水の供給先を静電霧化装置６側にすることで、水を分岐流路２５を通して静電霧化装置６の水タンク７に供給できるようになっている。
【００３８】
また図示は省略するが装置本体２には便座３に着座した人の局部に風を送り乾燥する乾燥装置が設けてあり、該乾燥装置の運転は制御部２１からの指令に基づいて行われるようになっている。この乾燥装置の運転によって便座３に着座した人の局部に風を送り乾燥する乾燥モードの開始及び停止は、操作部５に設けた図示しない乾燥スイッチを操作することで切り換えられるようになっている。
【００３９】
そして上記静電霧化装置６は制御回路に電気的に接続されており、制御部２１により以下に示すように運転が制御されている。
【００４０】
図１に静電霧化装置６の制御方法の第１例について説明する。本例の静電霧化装置付き温水洗浄便座１は、図２に示すように装置本体２に便座３周辺の人の有無を検知する人体検知手段として人感センサ２７を設けてあり、本例の人感センサ２７は特に便座３に着座している人を検知できるように装置本体２の側部（詳しくは左側部であり図２紙面向かって右側）に設けてある。そして制御部２１を、図１に示すように人感センサ２７により便座３周辺に人が居ることを検知した際に、同時に静電霧化装置６をＯＦＦからＯＮに切り換え、この後、人感センサ２７により便座３周辺に人が居ないことを検知した際に、この人が居ないことを検知した時点から所定時間後に静電霧化装置６をＯＮからＯＦＦに切り換えるように設定している。
【００４１】
このように便座３周辺に人が居るか否かを検知する人感センサ２７の検知結果に基づいて静電霧化装置６のＯＮ／ＯＦＦの切り換えを制御することで、脱臭が必要となる便座３周辺に人が居る時及び便座３周辺に人が居なくなった直後の所定時間にのみ静電霧化装置６による脱臭を行うことができ、静電霧化装置６によってトイレ室内に発生する臭いを効率良く除去できる。
【００４２】
ところでビデ洗浄モードによってビデ洗浄をする場面での臭いの発生する量は少なく、静電霧化装置６によって積極的に脱臭する必要がない。よって上記静電霧化装置付き温水洗浄便座１を、後述する第１０例のように弱運転と強運転との二種類の運転モードを有するものとし、制御部２１を、人体検知手段により便座３周辺に人が居ることを検知した際に、静電霧化装置６をＯＦＦから強運転に切り替え、この後、人体検知手段により便座３周辺に人が居ないことを検知した際に、この人が居ないことを検知した時点から所定時間後に静電霧化装置６を強運転からＯＦＦに切り替え、尚且つ、上記便座３周辺に人が居ることを検知した時点から便座３周辺に人が居ないことを検知するまでの間において、ビデ洗浄スイッチが操作されてビデ洗浄モードを開始した場合には、図７に示すように同時に静電霧化装置６を強運転から弱運転に切り換え、この後、ビデ洗浄スイッチが操作されてビデ洗浄モードを停止した際に、このビデ洗浄モードを停止した時点から所定時間後に静電霧化装置６を弱運転からＯＦＦに切り換えるように設定することが好ましい。これによりトイレ使用者がビデ洗浄をした際には、静電霧化装置６の運転を抑えることができ、静電霧化装置６によりトイレ室内に発生する臭いを一層効率良く除去できる。
【００４３】
次に静電霧化装置６の制御方法の第２例について説明する。本例の静電霧化装置付き温水洗浄便座１は、便座３に人が着座したか否かを検知する着座検知手段として例えばリードスイッチ等からなる着座センサ（図示せず）を設けてある。そして制御部２１を、図５示すように着座センサにより便座３に人が着座したことを検知した際に、同時に静電霧化装置６をＯＦＦからＯＮに切り換え、この後、着座センサにより便座３に人が着座していないことを検知した際に、この便座３に人が着座していないことを検知した時点から所定時間後に静電霧化装置６をＯＮからＯＦＦに切り換えるように設定している。
【００４４】
このように便座３に人が着座したか否かを検知する着座センサの検知結果に基づいて静電霧化装置６のＯＮ／ＯＦＦの切り換えを制御することで、便座３に人が着座した後の臭いが発生する時間帯にのみ静電霧化装置６による脱臭を行うことができ、静電霧化装置６によってトイレ室内に発生する臭いを効率良く除去できる。
【００４５】
なお本例でも、上記静電霧化装置付き温水洗浄便座１を、後述する第１０例の弱運転と強運転との二種類の運転モードを有するものとし、制御部２１を、着座センサにより便座３に人が着座したことを検知した際に、同時に静電霧化装置６をＯＦＦから強運転に切り換え、この後、着座センサにより便座３に人が着座していないことを検知した際に、この便座３に人が着座していないことを検知した時点から所定時間後に静電霧化装置６を強運転からＯＦＦに切り換え、尚且つ、上記便座３に人が着座したことを検知した時点から便座３に人が着座していないことを検知するまでの間において、ビデ洗浄スイッチが操作されてビデ洗浄モードを開始した場合には、図７に示すように同時に静電霧化装置６を強運転から弱運転に切り換え、この後、ビデ洗浄スイッチが操作されてビデ洗浄モードを停止した際に、このビデ洗浄モードを停止した時点から所定時間後に静電霧化装置６を弱運転からＯＦＦに切り換えるように設定することが好ましい。
【００４６】
次に静電霧化装置６の制御方法の第３例について説明する。本例では、トイレ室内に設けたトイレ室内を照らす照明に該照明のＯＮ／ＯＦＦ情報を送信するリモコンを設け、静電霧化装置付き温水洗浄便座１の装置本体２に、前記照明に設けたリモコンから送信された情報を受信する受信部を設けている。そして制御部２１を、図６示すようにトイレ室内の照明がＯＮになった際に、同時に静電霧化装置６をＯＦＦからＯＮに切り換え、この後、トイレ内の照明がＯＦＦになった際に、同時に静電霧化装置６をＯＮからＯＦＦに切り換えるように設定している。
【００４７】
このようにトイレ室内の照明のＯＮ／ＯＦＦに基づいて静電霧化装置６のＯＮ／ＯＦＦの切り換えを制御することで、トイレ室内に人が居る時にのみ静電霧化装置６による脱臭を行うことができ、トイレ室内において臭いが発生する時に効率良く静電霧化装置６を運転できる。
【００４８】
なお本例でも、上記静電霧化装置付き温水洗浄便座１を、後述する第１０例の弱運転と強運転との二種類の運転モードを有するものとし、制御部２１を、上記静電霧化装置付き温水洗浄便座１を、後述する第１０例の弱運転と強運転との二種類の運転モードを有するものとし、制御部２１を、トイレ室内の照明がＯＮになった際に、同時に静電霧化装置６をＯＦＦから強運転に切り換え、この後、トイレ室内の照明がＯＦＦになった際に、同時に静電霧化装置６を強運転からＯＦＦに切り換え、尚且つ、上記トイレ室内の照明がＯＮになった時点からトイレ室内の照明がＯＦＦになる時点までの間において、ビデ洗浄スイッチが操作されてビデ洗浄モードを開始した場合には、図７に示すように同時に静電霧化装置６を強運転から弱運転に切り換え、この後、ビデ洗浄スイッチが操作されてビデ洗浄モードを停止した際に、このビデ洗浄モードを停止した時点から所定時間後に静電霧化装置６を弱運転からＯＦＦに切り換えるように設定することが好ましい。
【００４９】
次に静電霧化装置６の制御方法の第４例を示す。本例の静電霧化装置付き温水洗浄便座１は、便蓋４の開閉状態を検知する開閉検知手段として、便蓋４を設けたヒンジ部に便蓋４の便器の上面からの回動角度を検出する角度検出センサ（図示せず）を設けている。そして制御部２１を、角度検出センサにより便蓋４の回動角度が所定角度以上になった際、即ち便蓋４が開になったことを検知した際に、同時に静電霧化装置６をＯＦＦからＯＮに切り換え、角度検出センサにより便蓋４の回動角度が所定角度未満になった際、即ち便蓋４が閉になったことを検知した際に、この便蓋４が閉になったことを検知した時点から所定時間後に静電霧化装置６をＯＮからＯＦＦに切り換えるように設定している。
【００５０】
このように便蓋４の開閉状態を検知する開閉検知手段の検知結果に基づいて静電霧化装置６のＯＮ／ＯＦＦの切り換えを制御することで、使用者が便器の使用の前に便蓋４を開にした際に静電霧化装置６をＯＦＦからＯＮに切り換え、使用者が用を足した後に便蓋４を閉にした時点から所定時間後に静電霧化装置６をＯＦＦからＯＮに切り換えることができ、これにより便器使用時及び便器使用後の所定時間にのみ静電霧化装置６による脱臭を行うことができ、従ってトイレ室内において発生する臭いを静電霧化装置６によって効率良く除去できる。
【００５１】
次に静電霧化装置６の制御方法の第５例を示す。本例の静電霧化装置付き温水洗浄便座１は、便座３の開閉状態を検知する開閉検知手段として、例えば便座３を設けたヒンジ部に便座３の便器上面からの回動角度を検出する角度検出センサ（図示せず）を設けている。そして制御部２１を、角度検出センサにより便座３が閉になったことを検知した際に、同時に静電霧化装置６をＯＦＦからＯＮに切り換え、便座３が開になったことを検知した際に、この便座３が開になったことを検知した時点から所定時間後に静電霧化装置６をＯＮからＯＦＦに切り換えるように設定している。
【００５２】
このように便座３の開閉状態を検知する開閉検知手段の検知結果に基づいて静電霧化装置６のＯＮ／ＯＦＦの切り換えを制御することで、使用者が便器の使用の前に便座３を閉にした際に静電霧化装置６をＯＦＦからＯＮに切り換え、使用者が用を足した後に便座３を開にした時点から所定時間後に静電霧化装置６をＯＦＦからＯＮに切り換えることができ、これにより便器使用時及び便器使用後の所定時間にのみ静電霧化装置６による脱臭を行うことができ、従ってトイレ室内において発生する臭いを静電霧化装置６によって効率良く除去できる。
【００５３】
また本例及び上記した第４例でも、上記静電霧化装置付き温水洗浄便座１を、後述する第１０例の弱運転と強運転との二種類の運転モードを有するものとし、制御部２１を、角度検出センサにより便蓋４が開（又は便座３が閉）になったことを検知した際に、同時に静電霧化装置６をＯＦＦから強運転に切り換え、この後、便蓋４が閉（又は便座３が開）になったことを検知した際に、この便蓋４が閉（又は便座３が開）になったことを検知した時点から所定時間後に静電霧化装置６を強運転からＯＦＦに切り換え、尚且つ上記便蓋４が開（又は便座３が閉）になったことを検知した時点から便蓋４が閉（又は便座３が開）になったことを検知するまでの間において、ビデ洗浄スイッチが操作されてビデ洗浄モードを開始した場合には、同時に静電霧化装置６を強運転から弱運転に切り換え、この後、ビデ洗浄スイッチが操作されてビデ洗浄モードを停止した際に、このビデ洗浄モードを停止した時点から所定時間後に静電霧化装置６を弱運転からＯＦＦに切り換えるように設定することが好ましい。
【００５４】
次に静電霧化装置６の制御方法の第６例について説明する。本例の静電霧化装置付き温水洗浄便座１は、制御部２１を、上記肛門洗浄スイッチが操作されて肛門洗浄モードを開始した際に、同時に静電霧化装置６をＯＦＦからＯＮに切り換え、この後、肛門洗浄スイッチが操作されて肛門洗浄モードを停止した際に、この肛門洗浄モードを停止した時点から所定時間後に、静電霧化装置６をＯＮからＯＦＦに切り換えるように設定してある。
【００５５】
このように肛門洗浄モードの開始及び停止に基づいて静電霧化装置６のＯＮ／ＯＦＦの切り換えを制御することで、肛門洗浄モードでの運転時及び肛門洗浄モードの停止後の所定時間にのみ静電霧化装置６による脱臭を行うことができ、これにより静電霧化装置６によってトイレ室内に発生する臭いを効率良く除去できる。
【００５６】
次に静電霧化装置６の制御方法の第７例について説明する。本例の静電霧化装置付き温水洗浄便座１は、制御部２１を、上記乾燥スイッチが操作されて乾燥モードを開始した際に、同時に静電霧化装置６をＯＦＦからＯＮに切り換え、この後、乾燥スイッチが操作されて乾燥モードを停止した際に、同時に静電霧化装置６をＯＮからＯＦＦに切り換えるように設定してある。
【００５７】
このように乾燥モードの開始及び停止に基づいて静電霧化装置６のＯＮ／ＯＦＦの切り換えを制御することで、乾燥モードでの運転時にのみ静電霧化装置６による脱臭を行うことができ、これによりトイレ室内において臭いが発生する時に効率良く静電霧化装置６を運転できる。また乾燥モードでの運転時には便器内から上方のトイレ空間に向けて風が送られて、この風と共に臭いが便器上方のトイレ空間に運ばれてしまうのだが、本例では上記したように乾燥モードを開始した際に同時に静電霧化装置６をＯＦＦからＯＮに切り換え、且つ乾燥モードを停止した際に同時に静電霧化装置６をＯＮからＯＦＦに切り換えるため、静電霧化装置６によって乾燥モードの運転により便器から上方に運ばれた匂いを効率良く除去できる。
【００５８】
次に静電霧化装置６の制御方法の第８例について説明する。本例の静電霧化装置付き温水洗浄便座１は、制御部２１を、便器使用後において使用者が水洗スイッチを操作して便器水洗を開始した際に、同時に静電霧化装置６をＯＦＦからＯＮに切り換え、この後便器水洗が停止した際に、この便器水洗が停止した時点から所定時間後に静電霧化装置６をＯＮからＯＦＦに切り換えるように設定してある。
【００５９】
このように便器水洗の開始及び停止に基づいて静電霧化装置６のＯＮ／ＯＦＦの切り換えることで、便器水洗開始前の臭いの発生源となる汚物が便器内に留まっている時には静電霧化装置６を運転せずに、便器内に匂いの発生源となる汚物が無くなった後の所定時間にのみ静電霧化装置６を運転することができ、従ってトイレ室内に発生する臭いを静電霧化装置６によって効率良く除去できる。なお、上記便器水洗の停止は自動で行われるものとする。
【００６０】
次に静電霧化装置６の制御方法の第９例を示す。本例では静電霧化装置付き温水洗浄便座に便座３周辺の臭いを検知する臭い検知センサを設けてあり、そして制御部２１を前記臭い検知センサの出力結果に基づいて静電霧化装置６のＯＮ／ＯＦＦを切り替えるように設定している。
【００６１】
具体的に制御部２１は、図８に示すように臭い検知センサの出力結果が所定値以上となった際に、同時に静電霧化装置６をＯＦＦからＯＮに切り換え、臭い検知センサの出力結果が所定値未満となった際に、同時に静電霧化装置６をＯＮからＯＦＦに切り換えるといった制御を繰り返し行う。
【００６２】
このように臭い検知センサの出力結果に基づいて静電霧化装置６のＯＮ／ＯＦＦを切り換えることで、トイレ室内の臭いの量が多い場合にのみ静電霧化装置６を運転することができ、これにより静電霧化装置６によりトイレ室内の臭いを効率良く除去できる。
【００６３】
次に静電霧化装置６の制御方法の第１０例について説明する。本例では装置本体２に上記した第１例の人体検知手段を設けている。また静電霧化装置６は弱運転と、該弱運転よりもナノサイズミストの単位時間当たりの噴霧量を大きくした強運転と、の二種類の運転モードを有しており、この静電霧化装置６の弱運転と強運転は切り換え可能となっている。この静電霧化装置６の弱運転と強運転の切り換えは、例えばナノサイズミストを吐出する吐出口の開口面積を変更したり、また静電霧化装置６によって発生したナノサイズミストを便器内やトイレ室の室内空間に送る送風手段の風量を変更して吸水体１１で吸い上げる水の量を変更したり、また装置本体２に静電霧化装置６を複数設けて運転する静電霧化装置６の数を変更したり、また印加電極１０・対向電極９間に印加する電圧を変更したりして行われる。また静電霧化装置６は通常弱運転で運転されている。
【００６４】
そして制御部２１を、静電霧化装置６が弱運転で運転されている時において人体検知手段により便座３周辺に人が居ることを検知した際に、同時に静電霧化装置６を弱運転から強運転に切り替え、この後、人体検知手段により便座３周辺に人が居ないことを検知した際に、この人が居ないことを検知した時点から所定時間後に静電霧化装置６を強運転から弱運転に切り換えるように設定している。
【００６５】
このように便座３周辺に人が居るか否かを検知する人体検知手段の検知結果に基づいて静電霧化装置６の強運転／弱運転の切り換えを制御することで、脱臭が必要となる便座３周辺に人が居る時及び便座３周辺に人が居なくなった直後の所定時間にのみ静電霧化装置６を強運転にすることができ、これによりトイレ室内に発生する臭いを静電霧化装置６によって効率良く除去できる。
【００６６】
次に静電霧化装置６の制御方法の第１１例を示す。本例の静電霧化装置付き温水洗浄便座１は、上記した第２例の着座検知手段を設けてあり、また上記した第１０例の弱運転と強運転との二種類の運転モードを有しており、また静電霧化装置６は通常弱運転で運転されている。そして制御部２１を、静電霧化装置６が弱運転で運転されている時において着座検知手段により便座３に人が着座したことを検知した際に、同時に静電霧化装置６を弱運転から強運転に切り換え、着座検知手段により便座３に人が着座していないことを検知した際に、この便座３に人が着座していないことを検知した時点から所定時間後に静電霧化装置６を強運転から弱運転に切り換えるように設定している。
【００６７】
このように便座３に人が着座したか否かを検知する着座センサの検知結果に基づいて静電霧化装置６の弱運転／強運転の切り換えを制御することで、便座３に人が着座した後の臭いが発生する時間帯にのみ静電霧化装置６を強運転にすることができ、これによりトイレ室内に発生する臭いを静電霧化装置６によって効率良く除去できる。
【００６８】
なお本例及び上記第１０例において、例えば制御部２１が、上記第３例に示したトイレ室内の照明がＯＮになった際に、同時に静電霧化装置６をＯＦＦから弱運転に切り換え、この後、人体検知手段により便座３周辺に人が居ることを検知した際（又は着座検知手段により便座３に人が着座したことを検知した際）に、同時に静電霧化装置６を弱運転から強運転に切り替え、この後、人体検知手段により便座３周辺に人が居ないことを検知した際（又は着座検知手段により便座３に人が着座していないことを検知した際）に、この便座３周辺に人が居ないことを検知した時点（又は着座検知手段により便座３に人が着座していないことを検知した時点）から所定時間後に静電霧化装置６を強運転から弱運転に切り換え、この後、トイレ室内の照明がＯＦＦになった際に、同時に静電霧化装置６を弱運転からＯＦＦに切り換えるように設定されてあっても良いものとする。
【００６９】
次に静電霧化装置６の制御方法の第１２例を示す。本例では、上記第３例同様、トイレ室内を照らす照明に該照明のＯＮ／ＯＦＦ情報を送信するリモコンを設け、静電霧化装置付き温水洗浄便座１の装置本体２に、前記照明に設けたリモコンから送信された情報を受信する受信部を設けている。また静電霧化装置付き温水洗浄便座１は上記した第１０例の弱運転と強運転との二種類の運転モードを有している。また静電霧化装置６は通常弱運転で運転されている。そして制御部２１を、静電霧化装置６が弱運転で運転されている時においてトイレ室内の照明がＯＮになった際に、同時に静電霧化装置６を弱運転から強運転に切り換え、この後トイレ内の照明がＯＦＦになった際に、同時に静電霧化装置６を強運転から弱運転に切り換えるように設定している。
【００７０】
このようにトイレ室内の照明のＯＮ／ＯＦＦに基づいて静電霧化装置６の強運転／弱運転の切り換えを制御することで、トイレ室内に人が居る時にのみ静電霧化装置６を強運転にすることができ、トイレ室内に発生する臭いを静電霧化装置６によって効率良く除去できる。
【００７１】
なお本例及び上記第３例における照明は照明のＯＮ／ＯＦＦをスイッチを手動で操作することにより切り換えるものであっても良いし、またトイレ室にトイレ室内に人が居るか否かを検知する図示しない人感センサを設け、該人感センサでトイレ室内に人が居ることを検知した際に照明をＯＮにし、人感センサでトイレ室内に人が居ないことを検知した際に照明をＯＦＦにするものであっても良いものとする。後者の場合、静電霧化装置付き温水洗浄便座１に新たに人感センサを設ける必要がなくなり、部品点数及びコストの削減を実現できる。
【００７２】
次に静電霧化装置６の制御方法の第１３例を示す。本例の静電霧化装置付き温水洗浄便座１は、上記した第４例の便蓋４の開閉状態を検知する開閉検知手段を設けてあり、また上記した第１例の人体検知手段を設けてあり、また上記した第１０例の弱運転と強運転との二種類の運転モードを有している。そして制御部２１を、人体検知手段により便座３周辺に人が居ることを検知した際に、同時に静電霧化装置６をＯＦＦから弱運転に切り替え、この後、便蓋４が開になったことを検知した際に、同時に静電霧化装置６を弱運転から強運転に切り換え、この後、便蓋４が閉になったことを検知した際に、この便蓋４が閉になったことを検知した時点から所定時間後に静電霧化装置６を強運転から弱運転に切り換え、この後、人体検知手段により便座３周辺に人が居ないことを検知した際に、この便座３周辺に人が居ないことを検知した時点から所定時間後に静電霧化装置６を弱運転からＯＦＦに切り換えるように設定している。
【００７３】
なお上記便蓋４が閉になったことを検知した時点から所定時間後までの間に、人体検知手段により便座３周辺に人が居ることを検知した際には、同時に静電霧化装置６を強運転から弱運転に切り換え、この後、便蓋４が開になったことを検知した際に、同時に静電霧化装置６を弱運転から強運転に切り換え、以下上記同様の制御を行うようにしても良いものとする。
【００７４】
このように便蓋４の開閉状態を検知する開閉検知手段の検知結果に基づいて静電霧化装置６の強運転／弱運転の切り換えを制御することで、使用者が便器の使用の前に便蓋４を開にした際に静電霧化装置６を弱運転から強運転に切り換え、使用者が用を足した後に便蓋４を閉にした時点から所定時間後に静電霧化装置６を強運転から弱運転に切り換えることができ、これにより便器使用時及び便器使用後の所定時間にのみ静電霧化装置６を強運転にすることができ、この結果、トイレ室内において発生する臭いを静電霧化装置６によって効率良く除去できる。
【００７５】
次に静電霧化装置６の制御方法の第１４例について説明する。本例の静電霧化装置付き温水洗浄便座１は、上記した第５例の便座３の開閉状態を検知する開閉検知手段を設けてあり、また上記した第１例の人体検知手段を設けてあり、また上記した第１０例の弱運転と強運転との二種類の運転モードを有している。そして制御部２１を、人体検知手段により便座３周辺に人が居ることを検知した際に、同時に静電霧化装置６をＯＦＦから弱運転に切り替え、この後、便座３が閉になったことを検知した際に、同時に静電霧化装置６を弱運転から強運転に切り換え、この後、便座３が開になったことを検知した際に、この便座３が開になったことを検知した時点から所定時間後に静電霧化装置６を強運転から弱運転に切り換え、この後、人体検知手段により便座３周辺に人が居ないことを検知した際に、この便座３周辺に人が居ないことを検知した時点から所定時間後に静電霧化装置６を弱運転からＯＦＦに切り換えるように設定している。
【００７６】
なお上記便座３が開になったことを検知した時点から所定時間後までの間に、人体検知手段により便座３周辺に人が居ることを検知した際には、同時に静電霧化装置６を強運転から弱運転に切り換え、この後、便座３が閉になったことを検知した際に、同時に静電霧化装置６を弱運転から強運転に切り換え、以下上記同様の制御を行うようにしても良いものとする。
【００７７】
このように便座３の開閉状態を検知する開閉検知手段の検知結果に基づいて静電霧化装置６の強運転／弱運転の切り換えを制御することで、使用者が便器の使用の前に便座３を閉にした際に静電霧化装置６を弱運転から強運転に切り換え、使用者が用を足した後に便座３を開にした時点から所定時間後に静電霧化装置６を強運転から弱運転に切り換えることができ、これにより便器使用時及び便器使用後の所定時間にのみ静電霧化装置６を強運転にすることができ、この結果、トイレ室内において発生する臭いを静電霧化装置６により効率良く除去できる。
【００７８】
なお本例及び上記第１３例では、例えば制御部２１を、上記第３例に示したトイレ室内の照明がＯＮになった際に、同時に静電霧化装置６をＯＦＦから弱運転に切り換え、この後、便蓋４が開（又は便座３が閉）になったことを検知した際に、同時に静電霧化装置６を弱運転から強運転に切り換え、この後、便蓋４が閉（又は便座３が開）になったことを検知した際に、この便蓋４が閉（又は便座３が開）になったことを検知した時点から所定時間後に静電霧化装置６を強運転から弱運転に切り換え、この後、トイレ室内の照明がＯＦＦになった際に、同時に静電霧化装置６を弱運転からＯＦＦに切り換えるように設定してあっても良いものとする。
【００７９】
また静電霧化装置６を通常弱運転で運転されているものとし、制御部２１を、静電霧化装置６が弱運転で運転されている時において便蓋４が開（又は便座３が閉）になったことを検知した際に、同時に静電霧化装置６を弱運転から強運転に切り換え、この後、便蓋４が閉（又は便座３が開）になったことを検知した際に、この便蓋４が閉（便座３が開）になったことを検知した時点から所定時間後に静電霧化装置６を強運転から弱運転に切り換えるように設定してあっても良い。
【００８０】
次に静電霧化装置６の制御方法の第１５例を示す。本例の静電霧化装置付き温水洗浄便座１は、上記第１例に示した人体検知手段を設けてあり、また上記第１０例に示した弱運転と強運転との二種類の運転モードを有している。そして制御部２１を、人体検知手段により便座３周辺に人が居ることを検知した際に、静電霧化装置６をＯＦＦから弱運転に切り替え、この後、上記肛門洗浄スイッチが操作されて肛門洗浄モードを開始した際に、同時に静電霧化装置６を弱運転から強運転に切り換え、この後、肛門洗浄スイッチが操作されて肛門洗浄モードを停止した際に、この肛門洗浄モードを停止した時点から所定時間後に静電霧化装置６を強運転から弱運転に切り換え、この後、人体検知手段により便座３周辺に人が居ないことを検知した際に、この便座３周辺に人が居ないことを検知した時点から所定時間後に静電霧化装置６を弱運転からＯＦＦに切り換えるように設定している。なお上記肛門洗浄モードを停止した時点から所定時間後までの間に人体検知手段により便座３周辺に人が居ることを検知した際には、同時に静電霧化装置６を強運転から弱運転に切り換え、この後、肛門洗浄スイッチが操作されて肛門洗浄モードを開始した際に、同時に静電霧化装置６を弱運転から強運転に切り換え、以下上記同様の制御を行うようにしても良いものとする。
【００８１】
このように肛門洗浄モードの開始及び停止に基づいて静電霧化装置６の強運転／弱運転の切り換えを制御することで、肛門洗浄モードでの運転時及び肛門洗浄モードの停止後の所定時間にのみ静電霧化装置６を強運転にすることができ、これによりトイレ室内において臭いが発生する時に効率良く静電霧化装置６を運転できる。
【００８２】
なお本例にあっては、例えば制御部２１を、上記第３例に示したトイレ室内の照明がＯＮになった際に、同時に静電霧化装置６をＯＦＦから弱運転に切り換え、この後、肛門洗浄スイッチが操作されて肛門洗浄モードを開始した際に、同時に静電霧化装置６を弱運転から強運転に切り換え、この後、肛門洗浄スイッチが操作されて肛門洗浄モードを停止した際に、この肛門洗浄モードを停止した時点から所定時間後に静電霧化装置６を強運転から弱運転に切り換え、この後、トイレ室内の照明がＯＦＦになった際に、同時に静電霧化装置６を弱運転からＯＦＦに切り換えるように設定してあっても良いものとする。
【００８３】
また静電霧化装置６を通常弱運転で運転されているものとし、制御部２１を、静電霧化装置６が弱運転で運転されている時において肛門洗浄スイッチが操作されて肛門洗浄モードを開始した場合に、同時に静電霧化装置６を弱運転から強運転に切り換え、この後、肛門洗浄スイッチが操作されて肛門洗浄モードを停止した際に、この肛門洗浄モードを停止した時点から所定時間後に静電霧化装置６を強運転から弱運転に切り換えるように設定してあっても良いものとする。
【００８４】
次に静電霧化装置６の制御方法の第１６例について説明する。本例の静電霧化装置付き温水洗浄便座１は、上記第１例に示した人体検知手段を設けてあり、また上記第１０例に示した弱運転と強運転との二種類の運転モードを有している。そして制御部２１を、人体検知手段により便座３周辺に人が居ることを検知した際に、同時に静電霧化装置６をＯＦＦから弱運転に切り替え、この後、図９に示すように上記乾燥スイッチが操作されて乾燥モードを開始した際に、同時に静電霧化装置６を弱運転から強運転に切り換え、この後、乾燥スイッチが操作されて乾燥モードを停止した際に、同時に静電霧化装置６を強運転から弱運転に切り換え、この後、人体検知手段により便座３周辺に人が居ないことを検知した際に、この便座３周辺に人が居ないことを検知した時点から所定時間後に静電霧化装置６を弱運転からＯＦＦに切り換えるように設定している。
【００８５】
このように乾燥モードの開始及び停止に基づいて静電霧化装置６の強運転／弱運転の切り換えを制御することで、乾燥モードでの運転時にのみ静電霧化装置６を強運転にすることができ、これによりトイレ室内において臭いが発生する時に効率良く静電霧化装置６を運転できる。また乾燥モードでの運転時には便器内から上方のトイレ空間に向けて風が送られて、この風と共に臭いが便器上方のトイレ空間に運ばれてしまうのだが、本例では上記したように乾燥モードを開始した際に同時に静電霧化装置６を弱運転から強運転に切り換え、且つ乾燥モードを停止した際に同時に静電霧化装置６を強運転から弱運転に切り換えるため、静電霧化装置６によって乾燥モードの運転により便器から上方に運ばれた匂いを効率良く除去できる。
【００８６】
なお本例にあっては、例えば制御部２１を、上記第３例に示したトイレ室内の照明がＯＮになった際に、同時に静電霧化装置６をＯＦＦから弱運転に切り換え、この後、上記乾燥スイッチが操作されて乾燥モードを開始した際に、同時に静電霧化装置６を弱運転から強運転に切り換え、この後、乾燥スイッチが操作されて乾燥モードを停止した際に、同時に静電霧化装置６を強運転から弱運転に切り換え、この後、トイレ室内の照明がＯＦＦになった際に、同時に静電霧化装置６を弱運転からＯＦＦに切り換えるように設定してあっても良いものとする。
【００８７】
また静電霧化装置６を通常弱運転で運転されているものとし、制御部２１を、静電霧化装置６が弱運転で運転されている時において上記乾燥スイッチが操作されて乾燥モードを開始した場合に、同時に静電霧化装置６を弱運転から強運転に切り換え、この後、乾燥スイッチが操作されて乾燥モードを停止した際に、同時に静電霧化装置６を強運転から弱運転に切り換えるように設定してあっても良いものとする。
【００８８】
次に静電霧化装置６の制御方法の第１７例について説明する。本例の静電霧化装置付き温水洗浄便座１は、上記第１例に示した人体検知手段を設けてあり、また上記第１０例に示した弱運転と強運転との二種類の運転モードを有している。そして制御部２１を、人体検知手段により便座３周辺に人が居ることを検知した際に、同時に静電霧化装置６をＯＦＦから弱運転に切り替え、この後、便器使用後において使用者が水洗スイッチを操作して便器水洗を開始した際に、同時に静電霧化装置６を弱運転から強運転に切り換え、便器水洗が停止した際に、この便器水洗の停止から所定時間後に静電霧化装置６を強運転から弱運転に切り換え、この後、人体検知手段により便座３周辺に人が居ないことを検知した際に、この便座３周辺に人が居ないことを検知した時点から所定時間後に静電霧化装置６を弱運転からＯＦＦに切り換えるように設定している。
【００８９】
このように便器水洗の開始及び停止に基づいて静電霧化装置６の強運転／弱運転を切り換えることで、便器内に汚物が無くなった後の所定時間にのみ静電霧化装置６を強運転にすることができ、従って静電霧化装置６を効率良く運転できて無駄のない脱臭を実現できる。
【００９０】
なお、本例及び上記第１５例にあっては、例えば制御部２１を、上記第３例に示したトイレ室内の照明がＯＮになった際に、同時に静電霧化装置６をＯＦＦから弱運転に切り換え、この後、使用者が便器水洗を開始した際（又は肛門洗浄スイッチが操作されて肛門洗浄モードを開始した際）に、同時に静電霧化装置６を弱運転から強運転に切り換え、便器水洗が停止した際（又は肛門洗浄スイッチが操作されて肛門洗浄モードを停止した際）に、この便器水洗が停止した時点（又は肛門洗浄スイッチが操作されて肛門洗浄モードが停止された時点）から所定時間後に静電霧化装置６を強運転から弱運転に切り換え、この後、トイレ室内の照明がＯＦＦになった際に、同時に静電霧化装置６を弱運転からＯＦＦに切り換えるように設定してあっても良いものとする。
【００９１】
また静電霧化装置６を通常弱運転で運転されているものとし、制御部２１を、静電霧化装置６が弱運転で運転されている時において便器水洗が開始した場合（又は肛門洗浄スイッチが操作されて肛門洗浄モードを開始した場合）に、同時に静電霧化装置６を弱運転から強運転に切り換え、この後、便器水洗が停止した際（又は肛門洗浄スイッチが操作されて肛門洗浄モードを停止した際）に、この便器水洗が停止した時点（又は肛門洗浄スイッチが操作されて肛門洗浄モードが停止された時点）から所定時間後に静電霧化装置６を強運転から弱運転に切り換えるように設定してあっても良い。
【００９２】
また、上記第１例に示した人体検知手段を設け、制御部２１を、人体検知手段により便座３周辺に人が居ることを検知した際に、同時に静電霧化装置６をＯＦＦから弱運転に切り換え、この後、便器水洗が開始された際（又は肛門洗浄スイッチが操作されて肛門洗浄モードを開始した際）に、同時に静電霧化装置６を弱運転から強運転に切り換え、この後、便器水洗が停止した際（又は肛門洗浄スイッチが操作されて肛門洗浄モードを停止した際）に、この便器水洗が停止した時点（又は肛門洗浄スイッチが操作されて肛門洗浄モードが停止された時点）から所定時間後に静電霧化装置６を強運転から弱運転に切り換え、この後、人感センサ２７により便座３周辺に人が居ないことを検知した際に、この人が居ないことを検知した時点から所定時間後に静電霧化装置６を弱運転からＯＦＦに切り換えるように設定してあっても良い。
【００９３】
次に静電霧化装置６の制御方法の第１８例を示す。本例では上記第１０例の弱運転と強運転との二種類の運転モードを有しており、また静電霧化装置付き温水洗浄便座１に便座３周辺の臭いを検知する臭い検知センサを設けている。そして制御部２１を臭い検知センサの出力結果に基づいて静電霧化装置６の強運転／弱運転を切り替えるように設定している。
【００９４】
具体的に制御部２１は、臭い検知センサの出力結果が所定値以上となった際に、同時に静電霧化装置６を弱運転から強運転に切り換え、臭い検知センサの出力結果が所定値未満となった際に、同時に静電霧化装置６を強運転から弱運転に切り換えるといった制御を繰り返し行う。
【００９５】
このように臭い検知センサの出力結果に基づいて静電霧化装置６の強運転／弱運転を切り換えることで、トイレ室内の臭いの量が多い場合にのみ静電霧化装置６を強運転にすることができ、これによりトイレ室内において臭いが発生する時に効率良く静電霧化装置６を運転できる。
【００９６】
次に静電霧化装置６の制御方法の第１９例を示す。本例の静電霧化装置付き温水洗浄便座１は、上記第４例に示した便蓋４の開閉状態を検知する開閉検知手段を設けてあり、また上記第１例に示した人体検知手段を設けてあり、また上記第１０例に示した弱運転と強運転との二種類の運転モードを有している。そして制御部２１を、人体検知手段により便座３周辺に人が居ることを検知した際に、同時に静電霧化装置６をＯＦＦから弱運転に切り替え、この後、便蓋４が開になったことを検知した際に、同時に静電霧化装置６を弱運転から強運転に切り換え、この後、便蓋４が閉になったことを検知した際に、この便蓋４が閉になったことを検知した時点から所定時間後に静電霧化装置６を強運転からＯＦＦに切り換えるように設定している。
【００９７】
なお、便蓋４が閉になったことを検知した際に静電霧化装置６が強運転からＯＦＦに切り換わった時点から次回人体検知手段により便座３周辺に人が居ないことを検知するまでの間は、人体検知手段により便座３周辺に人が居ることを検知したとしても、静電霧化装置６のＯＦＦは維持されているものとする。
【００９８】
また上記便蓋４が閉になったことを検知した時点から所定時間後までの間において、人体検知手段により便座３周辺に人が居ないことを検知し、さらにこの後、人体検知手段により便座３周辺に人が居ることを検知した際には、同時に静電霧化装置６を強運転から弱運転に切り換え、この後、便蓋４が開になったことを検知した際に、同時に静電霧化装置６を弱運転から強運転に切り換え、以下上記同様の制御を行うようにしても良いものとする。
【００９９】
このように便蓋４の開閉状態を検知する開閉検知手段の検知結果に基づいて静電霧化装置６の運転を制御することで、使用者が便器の使用の前に便蓋４を開にした際に静電霧化装置６を弱運転から強運転に切り換え、使用者が用を足した後に便蓋４を閉にした時点から所定時間後に静電霧化装置６を強運転からＯＦＦに切り換えることができ、これにより便器使用時及び便器使用後の所定時間にのみ静電霧化装置６を強運転にすることができ、従ってトイレ室内において臭いが発生する時に効率良く静電霧化装置６を運転できる。
【０１００】
なお本例では便蓋４が閉になったことを検知した際に静電霧化装置６を強運転からＯＦＦに切り換えるようにしたが、これに替えて人体検知手段により便座３周辺に人が居ないことを検知した際に、この便座３周辺に人が居ないことを検知した時点から所定時間後に静電霧化装置６を強運転からＯＦＦに切り換えるようにしても良いものとする。
【０１０１】
次に静電霧化装置６の制御方法の第２０例を示す。本例の静電霧化装置付き温水洗浄便座１は、上記第５例に示した便座３の開閉状態を検知する開閉検知手段を設けてあり、また上記第１例に示した人体検知手段を設けてあり、また上記第１０例に示した弱運転と強運転との二種類の運転モードを有している。そして制御部２１を、人体検知手段により便座３周辺に人が居ることを検知した際に、同時に静電霧化装置６をＯＦＦから弱運転に切り替え、この後、便座３が閉になったことを検知した際に、同時に静電霧化装置６を弱運転から強運転に切り換え、この後、便座３が開になったことを検知した際に、この便座３が開になったことを検知した時点から所定時間後に静電霧化装置６を強運転からＯＦＦに切り換えるように設定している。
【０１０２】
なお、便座３が開になったことを検知した際に静電霧化装置６が強運転からＯＦＦに切り換わった時点から次回人体検知手段により便座３周辺に人が居ないことを検知するまでの間は、人体検知手段により便座３周辺に人が居ることを検知したとしても、静電霧化装置６のＯＦＦは維持されているものとする。
【０１０３】
また上記便座３が開になったことを検知した時点から所定時間後までの間において、人体検知手段により便座３周辺に人が居ないことを検知し、さらにこの後、人体検知手段により便座３周辺に人が居ることを検知した際には、同時に静電霧化装置６を強運転から弱運転に切り換え、この後、便座３が閉になったことを検知した際に、同時に静電霧化装置６を弱運転から強運転に切り換え、以下上記同様の制御を行うようにしても良いものとする。
【０１０４】
このように便座３の開閉状態を検知する開閉検知手段の検知結果に基づいて静電霧化装置６の運転を制御することで、使用者が便器の使用の前に便座３を開にした際に静電霧化装置６を弱運転から強運転に切り換え、使用者が用を足した後に便座３を開にした時点から所定時間後に静電霧化装置６を強運転からＯＦＦに切り換えることができ、これにより便器使用時及び便器使用後の所定時間にのみ静電霧化装置６を強運転にすることができ、従って静電霧化装置６によってトイレ室内において臭いが発生する臭いを効率良く除去できる。
【０１０５】
なお本例及び上記第１９例にあっては、上記第１例に示した人体検知手段を設け、制御部２１を、人体検知手段により便座３周辺に人が居ることを検知した際に、同時に静電霧化装置６をＯＦＦから弱運転に切り替え、この後、便蓋４が開（又は便座３が閉）になったことを検知した際に、同時に静電霧化装置６を弱運転から強運転に切り換え、この後、便蓋４が閉（又は便座３が開）になったことを検知した際に、この便蓋４が閉（又は便座３が開）になったことを検知した時点から所定時間後に静電霧化装置６を強運転からＯＦＦに切り換えるように設定してあっても良いものとする。
【０１０６】
また制御部２１を、上記第３例に示したトイレ室内の照明がＯＮになった際に、同時に静電霧化装置６をＯＦＦから弱運転に切り換え、この後、便蓋４が開（又は便座３が閉）になったことを検知した際に、同時に静電霧化装置６を弱運転から強運転に切り換え、この後、便蓋４が閉（又は便座３が開）になったことを検知した際に、この便蓋４が閉（又は便座３が開）になったことを検知した時点から所定時間後に静電霧化装置６を強運転からＯＦＦに切り換えるように設定してあっても良い。
【０１０７】
また本例では便座３が開になったことを検知した際に静電霧化装置６を強運転からＯＦＦに切り換えるようにしたが、これに替えて人体検知手段により便座３周辺に人が居ないことを検知した際に、この便座３周辺に人が居ないことを検知した時点から所定時間後に静電霧化装置６を強運転からＯＦＦに切り換えるようにしても良い。
【０１０８】
次に静電霧化装置６の制御方法の第２１例を示す。本例の静電霧化装置付き温水洗浄便座１は、上記第１例に示した人体検知手段を設けてあり、また上記第１０例に示した弱運転と強運転との二種類の運転モードを有している。そして制御部２１を、人体検知手段により便座３周辺に人が居ることを検知した際に、同時に静電霧化装置６をＯＦＦから弱運転に切り替え、この後、図１０に示すように肛門洗浄スイッチが操作されて肛門洗浄モードを開始した際に、同時に静電霧化装置６を弱運転から強運転に切り換え、この後、肛門洗浄スイッチが操作されて肛門洗浄モードを停止した際に、この肛門洗浄モードを停止した時点から所定時間後に静電霧化装置６を強運転からＯＦＦに切り換えるように設定している。
【０１０９】
なお、肛門洗浄モードを停止した際に静電霧化装置６を強運転からＯＦＦに切り換えた時点から次回人体検知手段により便座３周辺に人が居ないことを検知するまでの間は、人体検知手段により便座３周辺に人が居ることを検知したとしても、静電霧化装置６のＯＦＦは維持されているものとする。
【０１１０】
また上記肛門洗浄モードを停止した時点から所定時間後までの間において、人体検知手段により便座３周辺に人が居ないことを検知し、さらにこの後、人体検知手段により便座３周辺に人が居ることを検知した際には、同時に静電霧化装置６を強運転から弱運転に切り換え、この後、肛門洗浄スイッチが操作されて肛門洗浄モードを開始した際に、同時に静電霧化装置６を弱運転から強運転に切り換え、以下上記同様の制御を行うようにしても良いものとする。
【０１１１】
このように肛門洗浄モードの開始及び停止に基づいて静電霧化装置６の運転を制御することで、肛門洗浄モードでの運転時及び肛門洗浄モードの停止後の所定時間にのみ静電霧化装置６を強運転にすることができ、これにより静電霧化装置６によりトイレ室内において発生する臭いを効率良く除去できる。
【０１１２】
なお本例では肛門洗浄スイッチが操作されて肛門洗浄モードを停止した際に静電霧化装置６を強運転からＯＦＦに切り換えるようにしたが、これに替えて人体検知手段により便座３周辺に人が居ないことを検知した際に、この便座３周辺に人が居ないことを検知した時点から所定時間後に静電霧化装置６を強運転からＯＦＦに切り換えるようにしても良いものとする。
【０１１３】
次に静電霧化装置６の制御方法の第２２例について説明する。本例の静電霧化装置付き温水洗浄便座１は、上記第１例に示した人体検知手段を設けてあり、また上記第１０例に示した弱運転と強運転との二種類の運転モードを有している。そして制御部２１を、人体検知手段により便座３周辺に人が居ることを検知した際に、同時に静電霧化装置６をＯＦＦから弱運転に切り替え、この後、上記乾燥スイッチが操作されて乾燥モードを開始した際に、同時に静電霧化装置６を弱運転から強運転に切り換え、この後、乾燥スイッチが操作されて乾燥モードを停止した際に、同時に静電霧化装置６を強運転からＯＦＦに切り換えるように設定している。
【０１１４】
なお乾燥モードを停止した際に静電霧化装置６を強運転からＯＦＦに切り換えた時点から次回人体検知手段により便座３周辺に人が居ないことを検知するまでの間は、人体検知手段により便座３周辺に人が居ることを検知したとしても、静電霧化装置６のＯＦＦは維持されているものとする。
【０１１５】
このように乾燥モードの開始及び停止に基づいて静電霧化装置６の運転を制御することで、乾燥モードでの運転時にのみ静電霧化装置６を強運転にすることができ、これにより静電霧化装置６によってトイレ室内に発生する臭いを効率良く除去できる。また乾燥モードでの運転時には便器内から上方のトイレ空間に向けて風が送られて、この風と共に臭いが便器上方のトイレ空間に運ばれてしまうのだが、本例では上記したように、乾燥モードを開始した際に同時に静電霧化装置６を弱運転から強運転に切り換え、且つ乾燥モードを停止した際に同時に静電霧化装置６を強運転からＯＦＦに切り換えるため、静電霧化装置６によって乾燥モードの運転により便器から上方に運ばれた匂いを効率良く除去できる。
【０１１６】
なお本例にあっては、例えば制御部２１を、上記第３例に示したトイレ室内の照明がＯＮになった際に、同時に静電霧化装置６をＯＦＦから弱運転に切り換え、この後、上記乾燥スイッチが操作されて乾燥モードを開始した際に、同時に静電霧化装置６を弱運転から強運転に切り換え、この後、乾燥スイッチが操作されて乾燥モードを停止した際に、同時に静電霧化装置６を強運転からＯＦＦに切り換えるように設定してあっても良いものとする。
【０１１７】
また、上記第１例に示した人体検知手段を設け、制御部２１を、人体検知手段により便座３周辺に人が居ることを検知した際に、同時に静電霧化装置６をＯＦＦから弱運転に切り換え、この後、上記乾燥スイッチが操作されて乾燥モードを開始した際に、同時に静電霧化装置６を弱運転から強運転に切り換え、この後、乾燥スイッチが操作されて乾燥モードを停止した際に、同時に静電霧化装置６を強運転からＯＦＦに切り換えるように設定してあっても良い。
【０１１８】
また本例では乾燥スイッチが操作されて乾燥モードを停止した際に静電霧化装置６を強運転からＯＦＦに切り換えるようにしたが、これに替えて人体検知手段により便座３周辺に人が居ないことを検知した際に、この便座３周辺に人が居ないことを検知した時点から所定時間後に静電霧化装置６を強運転からＯＦＦに切り換えるようにしても良いものとする。
【０１１９】
次に静電霧化装置６の制御方法の第２３例について説明する。本例の静電霧化装置付き温水洗浄便座１は、上記第１例に示した人体検知手段を設けてあり、また上記第１０例に示した弱運転と強運転との二種類の運転モードを有している。そして制御部２１を、人体検知手段により便座３周辺に人が居ることを検知した際に、同時に静電霧化装置６をＯＦＦから弱運転に切り替え、この後、図１１に示すように便器使用後において使用者が水洗スイッチを操作して便器水洗を開始した際に、同時に静電霧化装置６を弱運転から強運転に切り換え、便器水洗が停止した際に、この便器水洗の停止から所定時間後に静電霧化装置６を強運転からＯＦＦに切り換えるように設定している。
【０１２０】
なお便器水洗が停止した際に静電霧化装置６を強運転からＯＦＦに切り換えた時点から次回人体検知手段により便座３周辺に人が居ないことを検知するまでの間は、人体検知手段により便座３周辺に人が居ることを検知したとしても、静電霧化装置６のＯＦＦは維持されているものとする。
【０１２１】
また便器水洗の停止した時点から所定時間後までの間において、人体検知手段により便座３周辺に人が居ないことを検知し、さらにこの後、人体検知手段により便座３周辺に人が居ることを検知した際には、同時に静電霧化装置６を強運転から弱運転に切り換え、この後、便器水洗を開始した際に、同時に静電霧化装置６を弱運転から強運転に切り換え、以下上記同様の制御を行うようにしても良いものとする。
【０１２２】
このように便器水洗の開始及び停止に基づいて静電霧化装置６の強運転／弱運転を切り換えることで、便器内に汚物が無くなった後の所定時間にのみ静電霧化装置６を強運転にすることができ、従って静電霧化装置６によってトイレ室内の臭いを効率良く除去できる。
【０１２３】
なお、本例及び上記第２１例にあっては、例えば制御部２１を、上記第３例に示したトイレ室内の照明がＯＮになった際に、同時に静電霧化装置６をＯＦＦから弱運転に切り換え、この後、使用者が便器水洗を開始した際（又は肛門洗浄スイッチが操作されて肛門洗浄モードを開始した際）に、同時に静電霧化装置６を弱運転から強運転に切り換え、便器水洗が停止した際（又は肛門洗浄スイッチが操作されて肛門洗浄モードを停止した際）に、この便器水洗が停止した時点（又は肛門洗浄スイッチが操作されて肛門洗浄モードが停止された時点）から所定時間後に静電霧化装置６を強運転からＯＦＦに切り換えるように設定してあっても良いものとする。
【０１２４】
また、上記第１例に示した人体検知手段を設け、制御部２１を、人体検知手段により便座３周辺に人が居ることを検知した際に、同時に静電霧化装置６をＯＦＦから弱運転に切り換え、この後、便器水洗が開始された際（又は肛門洗浄スイッチが操作されて肛門洗浄モードを開始した際）に、同時に静電霧化装置６を弱運転から強運転に切り換え、この後、便器水洗が停止した際（又は肛門洗浄スイッチが操作されて肛門洗浄モードを停止した際）に、この便器水洗が停止した時点（又は肛門洗浄スイッチが操作されて肛門洗浄モードが停止された時点）から所定時間後に静電霧化装置６を強運転からＯＦＦに切り換えるように設定してあっても良い。
【０１２５】
また本例では便器水洗が停止した際に静電霧化装置６を強運転からＯＦＦに切り換えるようにしたが、これに替えて人体検知手段により便座３周辺に人が居ないことを検知した際に、この便座３周辺に人が居ないことを検知した時点から所定時間後に静電霧化装置６を強運転からＯＦＦに切り換えるようにしても良い。
【０１２６】
以上説明したように本実施形態の静電霧化装置付き温水洗浄便座１にあっては、静電霧化装置６によって、トイレ室内にある臭いや菌、特に便器やトイレ室の室内壁面に付着した臭いや菌を効果的に除去でき、加えて静電霧化装置６によりトイレ室内の匂いを効率良く除去でき、これにより静電霧化装置６の運転に伴う電力や水の無駄な消費を防止でき、またオゾンが大量に生成されて狭いトイレ室内に充満することを防止でき、また搬送部のごみ詰まりのトラブルを防止できる等、静電霧化装置６の長寿命化を実現でき、また使用者が快適にトイレを使用することができる。
【図面の簡単な説明】
【０１２７】
【図１】本発明の実施の形態の一例における静電霧化装置の制御方法の第１例を示し、図は人感センサ及び静電霧化装置のタイムチャート図である。
【図２】同上の静電霧化装置付き温水洗浄便座の斜視図である。
【図３】同上の静電霧化装置の分解斜視図である。
【図４】同上の静電霧化装置付き温水洗浄便座の概略説明図である。
【図５】同上の静電霧化装置の制御方法の第２例を示し、図は着座センサ及び静電霧化装置のタイムチャートである。
【図６】同上の静電霧化装置の制御方法の第３例を示し、図は照明及び静電霧化装置のタイムチャートである。
【図７】同上の静電霧化装置の制御方法の第１例〜第３例における好ましい例を示し、図はビデ洗浄スイッチと静電霧化装置のタイムチャートである。
【図８】同上の静電霧化装置の制御方法の第９例を示し、図は臭い検知センサ及び静電霧化装置のタイムチャートである。
【図９】同上の静電霧化装置の制御方法の第１６例を示し、図は乾燥スイッチ及び静電霧化装置のタイムチャートである。
【図１０】同上の静電霧化装置の制御方法の第２１例を示し、図は肛門洗浄スイッチ及び静電霧化装置のタイムチャートである。
【図１１】同上の静電霧化装置の制御方法の第２３例を示し、図は水洗スイッチ及び静電霧化装置のタイムチャートである。
【符号の説明】
【０１２８】
１  静電霧化装置付き温水洗浄便座
６  静電霧化装置
９  対向電極
１０  印加電極
２１  制御部
【図１】
2005336844.tif 000003
【図２】
2005336844.tif 000004
【図３】
2005336844.tif 000005
【図４】
2005336844.tif 000006
【図５】
2005336844.tif 000007
【図６】
2005336844.tif 000008
【図７】
2005336844.tif 000009
【図８】
2005336844.tif 000010
【図９】
2005336844.tif 000011
【図１０】
2005336844.tif 000012
【図１１】
2005336844.tif 000013